(57)【要約】      （修正有）【課題】組立てが簡単で、体積が小さいプラグコネクターを提供する。【解決手段】第一ケース体４１はプラグ本体１０の前部を覆い、コードクリップケース４２はプラグ本体１０の後部を覆い、コードクリップケース４２はコードクリップケース蓋板を備え、コードクリップケース蓋板片側縁は垂直に湾曲してコードクリップケース側板を延伸し、コードクリップケース側板の下側縁は上方へと湾曲可能なコードクリップケース底板を下方へと延伸し、コードクリップケース蓋板とコードクリップケース底板側縁の前部は相互に嵌合可能な第一嵌合板４２３１と第二嵌合板４２３２をそれぞれ垂直に湾曲して延伸し、コードクリップケース蓋板とコードクリップケース底板側縁の後部は、上下相対を呈する第一コードクリップ部４２７１と第二コードクリップ部４２７２を外へと延伸する。【選択図】図４
0003151498.tif 000002
【実用新案登録請求の範囲】
【請求項１】
プラグ本体、金属ケース体を備え、
前記プラグ本体内には、複数のプラグ端子を固定し、
前記金属ケース体は、第一ケース体、コードクリップケースを備え、
前記第一ケース体は、前記プラグ本体の前部を覆い、前記コードクリップケースは、前記プラグ本体の後部を覆い、
前記コードクリップケースは、コードクリップケース蓋板を備え、前記コードクリップケース蓋板片側縁は、垂直に湾曲してコードクリップケース側板を延伸し、前記コードクリップケース側板の下側縁は、上方へと湾曲可能なコードクリップケース底板を下方へと延伸し、前記コードクリップケース蓋板と前記コードクリップケース底板側縁の前部は、相互に嵌合可能な第一嵌合板と第二嵌合板を、それぞれ垂直に湾曲して延伸し、前記コードクリップケース蓋板と前記コードクリップケース底板側縁の後部は、第一コードクリップ部と第二コードクリップ部を外へと延伸することを特徴とするプラグコネクター。
【請求項２】
請求項１記載のプラグコネクターにおいて、前記プラグ本体の上表面と下表面の中央部には、それぞれ第一凹部を開設し、前記第一凹部のおよそ中央部には、凸部を設置し、前記プラグ本体の前表面のおよそ中央部には、板状の係合サポート部を前方へと突出させ、前記第一ケース体は、蓋板、両側板、底板を備え、前記蓋板と前記底板の後辺縁は、それぞれ外へと垂直に湾曲して延伸後に、さらに後方へと垂直に湾曲して２個の係合片を延伸し、前記係合片上には、係合口を開設し、前記蓋板、前記両側板、前記底板は、前記係合サポート部上を覆い、前記係合片は、前記第一凹部内に係合され、前記係合口と前記凸部は相互に係合することを特徴とするプラグコネクター。
【請求項３】
請求項１記載のプラグコネクターにおいて、前記第一嵌合板上には、ロック片を外へとプレス形成し、前記第二嵌合板上には、ロック槽を開設し、前記コードクリップケース底板は、上方へと湾曲後に、前記第一嵌合板と前記第二嵌合板は、前記ロック片と前記ロック槽を通過し、嵌合して一体となることを特徴とするプラグコネクター。
【請求項４】
請求項１記載のプラグコネクターにおいて、前記プラグ本体の両側面上には共に、欠槽を開設し、前記プラグ本体前表面の４個の角位置には、それぞれ嵌合サポート槽を開設し、
前記コードクリップケース側板と前記第一嵌合板上には共に、前記プラグ本体の欠槽と相互に係合する係合サポート片を内側へとプレス成型し、前記コードクリップケース底板、前記コードクリップケース側板と前記第一嵌合板辺縁上には共に、前記嵌合サポート槽中に嵌合するガード片を延伸し、
前記コードクリップケース蓋板と前記コードクリップケース底板前辺縁の中央位置には共に、内側へと向かい垂直に湾曲し、前記第一ケース体に蓋をする蓋板と前記係合片の連接部分を覆うガード片を延伸し、前記コードクリップケース蓋板と前記コードクリップケース底板上には共に、開槽を開設し、しかも前記開槽の片側辺縁上は、前記コードクリップケース内に向かい、前記プラグ本体後表面上に接触して固定する退出阻害片を延伸することを特徴とするプラグコネクター。
【請求項５】
請求項１記載のプラグコネクターにおいて、前記プラグ本体のサポート部の上表面両側には、後方へと延伸し、前記プラグ本体後表面を貫通するサポート槽をそれぞれ開設し、前記サポート槽は、上下に延伸し、前記プラグ本体の上、下表面を貫通するガードサポート槽、及び前記プラグ本体後表面から、前方へと延伸する係合固定槽を備え、
前記プラグコネクターはさらに、係合部品を備え、前記係合部品は、係合サポート部、及び前記係合サポート部の一端から垂直に湾曲して形成する湾曲部、及び前記湾曲部末端から前記係合サポート部片側へと延伸する、前記係合サポート部より長い弾性アームを備え、
前記湾曲部の上下両端は、それぞれ上方及び下方へと凸台を延伸し、
前記係合サポート部は、前記係合固定槽内に係合して固定され、前記湾曲部は、前記ガードサポート槽内に入り固定され、前記弾性アームは、前記サポート槽内へと延伸し、前記凸台は、前記ガードサポート槽の槽壁上に接触して固定することを特徴とするプラグコネクター。
【請求項６】
請求項１記載のプラグコネクターにおいて前記プラグコネクターはさらに、定位ブロックを備え、
前記定位ブロックは、前記プラグ本体の後表面上に設置し、前記定位ブロック上には、複数の定位孔を開設し、前記プラグ端子の一端は、前記プラグ本体の後表面に伸び出し、前記定位孔を通過する、ことを特徴とするプラグコネクター。
【請求項７】
請求項６記載のプラグコネクターにおいて、前記プラグ本体の両側面の中央部には、前後に延伸し、前記プラグ本体の前、後表面を貫通する導引槽をそれぞれ開設し、
前記第一ケース体両側板の後辺縁は、係合棒をそれぞれ後方へと延伸し、前記係合棒の末端には、係合槽を開設し、
前記定位ブロックの両側表面上には、スライド槽をそれぞれ開設し、前記スライド槽のおよそ中央部には、係合ブロックを突出して設置し、前記係合棒は、前記導引槽を貫通し、しかも前記係合ブロックは、前記係合槽内に嵌合することを特徴とするプラグコネクター。
【考案の詳細な説明】
【技術分野】
【０００１】
本考案は電気コネクターに関し、特にプラグコネクターに関する。
【背景技術】
【０００２】
従来のプラグコネクターは、プラグ本体と、該プラグ本体上に蓋する金属ケース体を備える。該プラグ本体の前表面は、対応接続コネクターと挿入して接続するサポート部が前方へと突出する。該金属ケース体は、第一ケース体と第二ケース体を備え、第一ケース体は、該プラグ本体のサポート部上に蓋をし、第二ケース体は、該プラグ本体のサポート部の外の部分に蓋をする。該金属ケース体の第一ケース体と第二ケース体は、該プラグ本体の外側を覆い、電磁干渉を効果的に遮蔽することができる。
【０００３】
しかし、上記したプラグコネクターの金属ケース体は、第一ケース体と第二ケース体により組成するため、プラグコネクターと外部コードとの接続には、別に鉄製のコードクリップケースが必要である。このため、プラグコネクター全体の組立ては複雑となり、その体積も大きくなってしまう。
【考案の概要】
【考案が解決しようとする課題】
【０００４】
本考案の目的は組立てが簡単で、体積が小さいプラグコネクターを提供することである。
【０００５】
上述の目的を達成するため、プラグコネクターは、プラグ本体、プラグ本体内に固定される複数のプラグ端子、金属ケース体を備え、該金属ケース体は第一ケース体、コードクリップケースを備え、該第一ケース体は該プラグ本体の前部を覆い、該コードクリップケースは該プラグ本体の後部を覆い、該コードクリップケースはコードクリップケース蓋板を備え、該コードクリップケース蓋板片側縁は垂直に湾曲してコードクリップケース側板を延伸し、該コードクリップケース側板の下側縁は上方へと湾曲可能なコードクリップケース底板を下方へと延伸し、該コードクリップケース蓋板と該コードクリップケース底板側縁の前部は相互に嵌合可能な第一嵌合板と第二嵌合板をそれぞれ垂直に湾曲して延伸し、該コードクリップケース蓋板と該コードクリップケース底板側縁の後部は、上下相対を呈する第一コードクリップ部と第二コードクリップ部を外へと延伸する。
【課題を解決するための手段】
【０００６】
請求項１の考案は、プラグ本体、金属ケース体を備え、
前記プラグ本体内には、複数のプラグ端子を固定し、
前記金属ケース体は、第一ケース体、コードクリップケースを備え、
前記第一ケース体は、前記プラグ本体の前部を覆い、前記コードクリップケースは、前記プラグ本体の後部を覆い、
前記コードクリップケースは、コードクリップケース蓋板を備え、前記コードクリップケース蓋板片側縁は、垂直に湾曲してコードクリップケース側板を延伸し、前記コードクリップケース側板の下側縁は、上方へと湾曲可能なコードクリップケース底板を下方へと延伸し、前記コードクリップケース蓋板と前記コードクリップケース底板側縁の前部は、相互に嵌合可能な第一嵌合板と第二嵌合板を、それぞれ垂直に湾曲して延伸し、前記コードクリップケース蓋板と前記コードクリップケース底板側縁の後部は、第一コードクリップ部と第二コードクリップ部を外へと延伸することを特徴とするプラグコネクターとしている。
請求項２の考案は、請求項１記載のプラグコネクターにおいて、前記プラグ本体の上表面と下表面の中央部には、それぞれ第一凹部を開設し、前記第一凹部のおよそ中央部には、凸部を設置し、前記プラグ本体の前表面のおよそ中央部には、板状の係合サポート部を前方へと突出させ、
前記第一ケース体は、蓋板、両側板、底板を備え、前記蓋板と前記底板の後辺縁は、それぞれ外へと垂直に湾曲して延伸後に、さらに後方へと垂直に湾曲して２個の係合片を延伸し、前記係合片上には、係合口を開設し、前記蓋板、前記両側板、前記底板は、前記係合サポート部上を覆い、前記係合片は、前記第一凹部内に係合され、前記係合口と前記凸部は相互に係合することを特徴とするプラグコネクターとしている。
請求項３の考案は、請求項１記載のプラグコネクターにおいて、前記第一嵌合板上には、ロック片を外へとプレス形成し、前記第二嵌合板上には、ロック槽を開設し、前記コードクリップケース底板は、上方へと湾曲後に、前記第一嵌合板と前記第二嵌合板は、前記ロック片と前記ロック槽を通過し、嵌合して一体となることを特徴とするプラグコネクターとしている。
請求項４の考案は、請求項１記載のプラグコネクターにおいて、前記プラグ本体の両側面上には共に、欠槽を開設し、前記プラグ本体前表面の４個の角位置には、それぞれ嵌合サポート槽を開設し、
前記コードクリップケース側板と前記第一嵌合板上には共に、前記プラグ本体の欠槽と相互に係合する係合サポート片を内側へとプレス成型し、前記コードクリップケース底板、前記コードクリップケース側板と前記第一嵌合板辺縁上には共に、前記嵌合サポート槽中に嵌合するガード片を延伸し、
前記コードクリップケース蓋板と前記コードクリップケース底板前辺縁の中央位置には共に、内側へと向かい垂直に湾曲し、前記第一ケース体に蓋をする蓋板と前記係合片の連接部分を覆うガード片を延伸し、前記コードクリップケース蓋板と前記コードクリップケース底板上には共に、開槽を開設し、しかも前記開槽の片側辺縁上は、前記コードクリップケース内に向かい、前記プラグ本体後表面上に接触して固定する退出阻害片を延伸することを特徴とするプラグコネクターとしている。
請求項５の考案は、請求項１記載のプラグコネクターにおいて、前記プラグ本体のサポート部の上表面両側には、後方へと延伸し、前記プラグ本体後表面を貫通するサポート槽をそれぞれ開設し、前記サポート槽は、上下に延伸し、前記プラグ本体の上、下表面を貫通するガードサポート槽、及び前記プラグ本体後表面から、前方へと延伸する係合固定槽を備え、
前記プラグコネクターはさらに、係合部品を備え、前記係合部品は、係合サポート部、及び前記係合サポート部の一端から垂直に湾曲して形成する湾曲部、及び前記湾曲部末端から前記係合サポート部片側へと延伸する、前記係合サポート部より長い弾性アームを備え、
前記湾曲部の上下両端は、それぞれ上方及び下方へと凸台を延伸し、
前記係合サポート部は、前記係合固定槽内に係合して固定され、前記湾曲部は、前記ガードサポート槽内に入り固定され、前記弾性アームは、前記サポート槽内へと延伸し、前記凸台は、前記ガードサポート槽の槽壁上に接触して固定することを特徴とするプラグコネクターとしている。
請求項６の考案は、請求項１記載のプラグコネクターにおいて前記プラグコネクターはさらに、定位ブロックを備え、
前記定位ブロックは、前記プラグ本体の後表面上に設置し、前記定位ブロック上には、複数の定位孔を開設し、前記プラグ端子の一端は、前記プラグ本体の後表面に伸び出し、前記定位孔を通過する、ことを特徴とするプラグコネクターとしている。
請求項７の考案は、請求項６記載のプラグコネクターにおいて、前記プラグ本体の両側面の中央部には、前後に延伸し、前記プラグ本体の前、後表面を貫通する導引槽をそれぞれ開設し、
前記第一ケース体両側板の後辺縁は、係合棒をそれぞれ後方へと延伸し、前記係合棒の末端には、係合槽を開設し、
前記定位ブロックの両側表面上には、スライド槽をそれぞれ開設し、前記スライド槽のおよそ中央部には、係合ブロックを突出して設置し、前記係合棒は、前記導引槽を貫通し、しかも前記係合ブロックは、前記係合槽内に嵌合することを特徴とするプラグコネクターとしている。
【考案の効果】
【０００７】
本考案のプラグコネクターは、第一ケース体、及びコードクリップ部を備えるコードクリップケースにより組成される金属ケース体で、金属ケース体は、従来の技術中の第一ケース体と第二ケース体及びコードクリップ鉄ケースにより組成する金属ケース体に取って代わることができ、同様に、遮蔽作用を備え、しかも良好な電磁干渉防止の性能を備える他に、プラグコネクターの部品数を削減することができるため、プラグコネクター全体の組立てを簡易にし、体積を縮小することができる。
【図面の簡単な説明】
【０００８】
【図１】本考案プラグコネクターの立体図である。
【図２】図１に示すプラグコネクターにおいて、コードクリップケースの第二嵌合板が第一嵌合板に未嵌合の状態を示す立体分解図である。
【図３】図１に示すプラグコネクターにおいて、プラグ本体の断面図である。
【図４】図１に示すプラグコネクターにおいて、コードクリップケースの第二嵌合板が第一嵌合板に未嵌合時の立体図である。
【考案を実施するための形態】
【０００９】
図１、２に示すように、本考案のプラグコネクターは、プラグ本体１０、複数のプラグ端子２０、係合部品３０、金属ケース体４０、定位ブロック５０を備える。
図２、３に示すように、プラグ本体１０は、一体成型の部品で、その上表面と下表面の中央部分には、前後に延伸し、プラグ本体１０の前、後表面に貫通する第一凹部１１をそれぞれ開設する。第一凹部１１のおよそ中央部には、凸部１２を突出設置し、凸部１２の前側表面は、前から後へと傾斜した斜面である。プラグ本体１０の前表面のおよそ中央部は、板状のサポート部１３を前方へと突出する。サポート部１３前部の上表面の中央部には、第二凹部１４を開設し、サポート部１３前端の中央部から後方へと、プラグ本体１０を貫通する複数の端子槽１５を開設する。サポート部１３上表面の第二凹部１４両側には、後方へと延伸し、プラグ本体１０後方表面を貫通するサポート槽１６をそれぞれ開設する。サポート槽１６は、上、下に延伸し、プラグ本体１０上、下表面を貫通するガードサポート槽１６１、及びプラグ本体１０の後表面から前方へと延伸する係合固定槽１６２を備える。プラグ本体１０前表面の４個の角位置には、外側と開通する嵌合サポート槽１７をそれぞれ開設する。プラグ本体１０の両側面中央部には、前後に延伸し、プラグ本体１０前、後表面を貫通する導引槽１８をそれぞれ開設する。プラグ本体１０の両側面上には、さらに欠槽１９をそれぞれ開設する。
【００１０】
図２に示すように、定位ブロック５０は、プラグ本体１０の後表面上に設置する。定位ブロック５０上には、プラグ端子２０に対応し、複数の定位孔５１を開設する。定位ブロック５０の両側表面上には、スライド槽５２をそれぞれ開設する。スライド槽５２のおよそ中央部には、係合ブロック５３を突出して設置する。
【００１１】
図２に示すように、プラグ端子２０は、直立して、矩形板状を呈するベース２１を備える。ベース２１の一端は、片側に向かい湾曲して連接部２２を延伸し、連接部２２は片状を呈する。よって、溶接面積が大きくなり、しかも連接部２２は、ベース２１一端の片側或いは反対の側から、垂直に湾曲して延伸後、さらに後方へと延伸して形成する。よって、連接部２２の延伸方向は、ソルダリングの操作に便利である。ベース２１の反対端は、細長い板状の接触部２３を前方へと延伸する。接触部２３の末端は、上方へと湾曲し延伸後に、さらに下方へと湾曲して接触頭２４を延伸する。ベース２１前部と接触頭２４の湾曲方向と反対の片側には、欠口２１１を開設する。ベース２１後部と接触頭２４の湾曲方向と相同の片側には、フック体２１２を突出設置する。プラグ端子２０のベース２１は、プラグ本体１０の端子槽１５内に収容され、フック体２１２は、端子槽１５の槽壁上に掛かり固定される。接触頭２４は、第二凹部１４内に進入し、これにより対応接続コネクター(図示なし)と対応接続する。連接部２２の一端は、プラグ本体１０の後表面に伸び出し、定位ブロック５０の定位孔５１を貫通し、続いて、溶接方式によりコード(図示なし)と対応して接続する。定位ブロック５０の設置により、プラグ端子２０の各連接部２２間の間隔距離は一致し、しかも相互に離れ、こうして、複数のプラグ端子２０を溶接する時のショートを回避することができる。定位ブロック５０とフック体２１２は一緒に、プラグ端子２０に作用し、プラグ本体１０中において安定的に支えられる。
【００１２】
図２に示すように、係合部品３０は、直立して、細長い板状を呈する係合サポート部３１を備える。係合サポート部３１の一端は、垂直に湾曲して湾曲部３２を形成する。湾曲部３２末端は、係合サポート部３１の片側に向かい、弾性アーム３３を延伸する。弾性アーム３３は、係合サポート部３１より長く、弾性アーム３３末端には、逆フック部３４を突出して設置する。係合サポート部３１上には、フック部３１１を突出して設置し、湾曲部３２の上下両端は、それぞれ上と下に向かい、凸台３２１を延伸する。係合サポート部３１は、係合固定槽１６２内に係合して固定し、フック部３１１により、係合固定槽１６２の槽壁上に係合する。湾曲部３２は、ガードサポート槽１６１内に係合し、弾性アーム３３は、サポート槽１６内に延伸し、逆フック部３４は、サポート部１３の上表面において伸び出し、対応接続コネクター(図示なし)と嵌合される。
【００１３】
図２に示すように、金属ケース体４０は、第一ケース体４１とコードクリップケース４２を備える。第一ケース体４１は、およそ矩形板状を呈する蓋板４１０を備え、蓋板４１０は、プラグ本体１０のサポート部１３の上表面を蓋する。蓋板４１０の両側はそれぞれ垂直に湾曲して側板４１１を延伸し、両側板４１１の側辺縁は、内側へと湾曲して延伸し、サポート部１３の下表面上の底板４１２に蓋をする。両側板４１１の後辺縁は、それぞれ後方へと延伸して、細長い形状の係合棒４１１０を形成する。係合棒４１１０の末端には、係合槽４１１１を開設する。蓋板４１０上には、開口４１００を開設する。蓋板４１０と底板４１２後辺縁は、それぞれ外へと垂直に湾曲して延伸後に、さらに後方へと垂直に湾曲して延伸し、２個の係合片４１３を形成する。係合片４１３上には、係合口４１３１を開設する。底板４１２上には、弾力片４１２１をプレスして上向きに形成し、これにより対応接続コネクター（図示なし）と弾性固定作用を発揮する。
【００１４】
図２、４に示すように、コードクリップケース４２は、およそ矩形の板状を呈するコードクリップケース蓋板４２０を備える。コードクリップケース蓋板４２０片側縁は、垂直に湾曲し、コードクリップケース側板４２１を形成する。コードクリップケース蓋板４２０は、プラグ本体１０の上表面に蓋をする。コードクリップケース側板４２１の下側縁は、下方へとコードクリップケース底板４２２を延伸する。  コードクリップケース底板４２２は、上方へと湾曲する。コードクリップケース蓋板４２０とコードクリップケース底板４２２前部の右側は、それぞれ垂直に湾曲して第一嵌合板４２３１と第二嵌合板４２３２を延伸する。第一嵌合板４２３１上には、プレスしてロック片４２３３を外向きに形成し、第二嵌合板４２３２上にはロック槽４２３４を開設する。コードクリップケース蓋板４２０とコードクリップケース底板４２２後部の右側は、それぞれ外へと上下対応を呈する第一コードクリップ部４２７１と第二コードクリップ部４２７２を延伸する。コードクリップケース側板４２１と第一嵌合板４２３１上には共に、内側へとプレスして、プラグ本体１０の欠槽１９と相互に係合する係合サポート片４２４を形成する。コードクリップケース蓋板４２０とコードクリップケース底板４２２上には共に、２個の開槽４２５を開設する。しかも、開槽４２５の片側辺縁上は、コードクリップケース４２内へと向かい退出阻害片４２６を延伸する。コードクリップケース底板４２２前辺縁両端は共に、上方へと垂直に湾曲して、ガード片４２８を延伸する。コードクリップケース側板４２１と第一嵌合板４２３１の前辺縁上には共に、内側へと垂直に湾曲してガード片４２８を延伸する。コードクリップケース蓋板４２０とコードクリップケース底板４２２前辺縁中央部は共に、内側へと垂直に湾曲してガード板４２９を延伸する。
【００１５】
図１、４に示すように、本考案プラグコネクターを組み立てる時には、先ずプラグ端子２０を、プラグ本体１０の後方から、前方へと端子槽１５内に挿入する。続いて、係合部品３０を、プラグ本体１０の後方から、前方へとサポート槽１６に挿入する。これにより、湾曲部３２の凸台３２１はガードサポート槽１６１の槽壁に接触し固定され、係合部品３０はプラグ本体１０内において、正確かつ安定的に固定され、偏移の恐れがなくなる。次に、第一ケース体４１をプラグ本体１０前方から、後方へとプラグ本体１０上を覆い、係合棒４１１０を導引槽１８内に挿入する。係合片４１３は、第一凹部１１内に係合され、係合口４１３１と凸部１２は、相互に係合される。この時、係合部品３０の逆フック部３４は、第一ケース体４１の開口４１００を上方へと貫通し、蓋板４１０上に伸び出す。
続いて、定位ブロック５０をプラグ本体１０後表面上に載せる。定位ブロック５０の係合ブロック５３は、第一ケース体４１の係合槽４１１１内に嵌合され、こうして、固定ブロック５０は、プラグ本体１０の後表面上にしっかりと設置される。最後に、コードクリップケース４２により、プラグ本体１０の上方から、下方へとプラグ本体１０上を覆う。コードクリップケース蓋板４２０は、プラグ本体１０の上表面に蓋をし、係合サポート片４２４は、欠槽１９内に係合し、これによりコードクリップケース４２が上下にぐらつかないようにする。
ガード片４２８は、プラグ本体１０の嵌合サポート槽１７内に係合され、これによりコードクリップケース４２の後退を防止する。ガード板４２９は、第一ケース体４１の蓋板４１０と係合片４１３が連接する部分を覆い、これにより第一ケース体４１とコードクリップケース４２は接触し通電する。コードクリップケース底板４２２を上方へと湾曲させ、ロック片４２３３とロック槽４２３４の相互嵌合により、第一嵌合板４２３１と第二嵌合板４２３２は緊密に固定され、退出阻害片４２６は、係合部品３０後側に係合して固定され、係合部品３０を挿入するプラグ本体１０の後退を防止する。コード(図示なし)は、第一コードクリップ部４２７１と第二コードクリップ部４２７２が囲む槽口とプラグ端子２０を貫通し、溶接される。
【００１６】
上記したように、本考案のプラグコネクターの金属ケース体４０は、第一ケース体、及び第一コードクリップ部４２７１と第二コードクリップ部４２７２を備えるコードクリップケース４２により組成される。このように、金属ケース体４０は、従来の技術中の第一ケース体と第二ケース体及びコードクリップ鉄ケースにより組成する金属ケース体に取って代わることができ、同様に、遮蔽作用を備え、しかも良好な電磁干渉防止の性能を備える他に、プラグコネクターの部品数を削減することができるため、プラグコネクター全体の組立てを簡易にし、体積を縮小することができる。
【符号の説明】
【００１７】
１０  プラグ本体
１１  第一凹部
１２  凸部
１３  サポート部
１４  第二凹部
１５  端子槽
１６  サポート槽
１６１  ガードサポート槽
１６２  係合固定槽
１７  嵌合サポート槽
１８  導引槽
１９  欠槽
２０  プラグ端子
２１  ベース
２１１  欠口
２１２  フック体
２２  連接部
２３  接触部
２４  接触頭
３０  係合部品
３１  係合サポート部
３１１  フック部
３２  湾曲部
３２１  凸台
３３  弾性アーム
３４  逆フック部
４０  金属ケース体
４１  第一ケース体
４１０  蓋板
４１００  開口
４１１  側板
４１１０  係合棒
４１１１  係合槽
４１２  底板
４１２１  弾力片
４１３  係合片
４１３１  係合口
４２  コードクリップケース
４２０  コードクリップケース蓋板
４２１  コードクリップケース側板
４２２  コードクリップケース底板
４２３１  第一嵌合板
４２３２  第二嵌合板
４２３３  ロック片
４２３４  ロック槽
４２４  係合サポート片
４２５  開槽
４２６  退出阻害片
４２７１  第一コードクリップ部
４２７２  第二コードクリップ部
４２８  ガード片
４２９  ガード板
５０  定位ブロック
５１  定位孔
５２  スライド槽
５３  係合ブロック
【図１】
0003151498.tif 000003
【図２】
0003151498.tif 000004
【図３】
0003151498.tif 000005
【図４】
0003151498.tif 000006